(57)【要約】【課題】据置型、キャニスター型、スティック型の掃除機の問題点を解決し使い勝手の良い掃除機を提供する。【解決手段】移動が可能である通常据置型の掃除機であって、ヘッド及びヘッドパイプから成る清掃部、吸入ホース、排出ホース、電源コードが本体内に収納可能であることを特徴とする。  ヘッド前方に設置したブラシを必要に応じて上下させることにより、部屋角の清掃効率向上とブラシの不必要な消耗防止を実現した。  ノズルを具備する吸引ホースはヘッドパイプと連結した状態で常設され、連結部分に設置された切替弁を操作することによりヘッド・ノズルの使用切替をワンタッチで行うことができる。  ヘッドパイプは蝶番関節で接続された３部分に分かれ、前腕をベルトで固定しハンドル部を握ることにより、清掃時の腕や手首にかかる負担を軽減している。  ヘッド及びヘッドパイプは折り畳式及び筒納式とし、本体の清掃部収納空間は最小である。【選択図】図１
2016055086.tif 000002
【特許請求の範囲】
【請求項１】
移動が可能である通常据置型の掃除機であって、
掃除機本体と、
塵埃吸引具としてのヘッド及びヘッドパイプから成る清掃部と、    
吸引した塵埃を前記清掃部から前記掃除機本体に導く吸入ホースと、
吸入した空気を前記掃除機本体から外部に排出する排出ホースと、
電源コードと、
を有し、前記掃除機本体は、
前記清掃部を収納する空間と、
前記吸入ホースを巻き取るリールと、
前記排出ホースを巻き取るリールと、
前記電源コードを巻き取るリールと、
前記排出ホース内の空気を排出するためのファンと、
を具備し、前記清掃部、前記吸入ホース、前記排出ホース及び前記電源コードが前記掃除機本体内に収納可能であることを特徴とする掃除機。
【請求項２】
前記ヘッドは作業時のヘッド進行方向に対し直角に配置された直線状のブラシと略半円柱形状のヘッドカバーとを有し、
前記ブラシは前記ヘッドに対して前記ヘッドカバー上で上下に回動可能に軸設されており、
前記ブラシを上下させることにより前記ブラシの被清掃面への着接又は乖離を選択することが可能であることを特徴とする請求項１に記載の掃除機。
【請求項３】
前記清掃部は、前記ヘッドによる清掃が不可能である狭角場所の塵埃吸引具として先端に吸引ノズルを具備する吸引ホースを有し、
前記吸引ホースは前記ヘッド近傍において前記ヘッドパイプに連接し、
前記ヘッドパイプと前記吸引ホースとの前記連接部分には塵埃・空気の流路を選択するための切替弁が配置され、
前記ヘッドの使用時においては前記切替弁が前記吸引ホースと前記ヘッドパイプとの接続部分を遮断することにより前記ヘッド・前記ヘッドパイプ間の塵埃・空気の流路を確保し、
前記吸引ノズルの使用時においては前記切替弁が前記ヘッドと前記ヘッドパイプとの接続部分を遮断することにより前記吸引ホース・前記ヘッドパイプ間の塵埃・空気の流路を確保することを特徴とする請求項１又は２に記載の掃除機。
【請求項４】
前記ヘッドパイプは、前記ヘッドを装着する基管部、清掃時に被掌握箇所となるハンドル部、及び前腕を載置・固定させるための腕置部より成り、
前記ハンドル部と前記腕置部とは第１の蝶番関節により、又前記基管部と前記ハンドル部とは第２の蝶番関節により、それぞれ枢接されており、
前記腕置部には腕を固定させるための腕巻ベルトが設置され、
作業者は前記腕巻ベルトを前腕に巻着し前腕を前記腕置部に固定しつつ前記ハンドル部を掌握し前記第１及び第２の蝶番関節で枢接された前記腕置部・前記ハンドル部・前記基管部間の角度を調節しつつ清掃作業を行うことを特徴とする請求項１乃至３のいずれかに記載の掃除機。
【請求項５】
前記ヘッドパイプの前記基管部は、前記ヘッドを装着するヘッド支持部、該ヘッド支持部に第３の蝶番関節によって枢接された下管部、及び前記下管部に連接する上管部によって構成され、前記ヘッド及び前記ヘッドパイプの前記本体内への収納時には、前記下管部は前記上管部内に筒納され、前記ヘッド支持部・前記ハンドル部・前記腕置部は前記第１・第２・第３の蝶番関節において折畳むことにより、前記ヘッド及び前記ヘッドパイプの収納時の全体サイズを小さくすることが可能であることを特徴とする請求項１乃至４のいずれかに記載の掃除機。
【発明の詳細な説明】
【技術分野】
【０００１】
本発明は本体以外の部分が本体内に収納可能である通常据置型の掃除機に関する。
【背景技術】
【０００２】
据置型の掃除機は、業務用としてはセルフのガソリンスタンド内での掃除機、床屋等において使用されるものがあり、家庭用としては家の中に排気用ダクトを設置するセントラルクリーナーのほか、人力でモップを使い塵埃を集め吸引器に吸わせるタイプのものがある。
【０００３】
一方、移動型掃除機は、床移動型のキャニスタータイプ及び箒型のスティックタイプのものがある。
【先行技術文献】
【特許文献】
【０００４】
【特許文献１】特開2013-244368号公報
【特許文献２】特開2002-028113号公報
【発明の概要】
【発明が解決しようとする課題】
【０００５】
本願に係る発明が解決しようとする課題は、掃除機自体の構成・タイプの違いから生じる機全体の操作性及び購入・設置費用に関する問題と、ヘッド、ヘッドパイプなどの各部部品の構造に起因する作業効率に関する問題とに分けられる。
【０００６】
まず、全体の操作性及び費用に関する問題について説明する。
据置型掃除機は強力な吸引力を有するが、大型であるため業務用のものがほとんどである。一般家庭で使用されるセントラルクリーナーは家屋全体の設計に組み入れる必要があるうえ、大掛かりな設備と高額の設置費用を要するため普及には至っていない。また、モップで塵埃を集め吸引機器に吸わせるタイプのものは、段差がある場所や棚の上等の高い場所では使えないという問題がある。
【０００７】
キャニスタータイプの移動型掃除機は、本体を転がしながら作業を行うため、部屋・階の移動、方向転換、段差越え等における苦労のほか、視界外の本体が家具や置物に当たったり転倒したりして、家具や壁・床などを傷つける等の問題が生じやすい。また、電源コードの抜き差しやコードリールの伸縮に手間がかかるほかコードが家具等に引っ掛ったりコンセントから抜け落ちたりすることもある。さらに、掃除機自体の物置等からの出入れも面倒である。長期間使用により中の電源コード用のゼンマイバネの劣化、また本体を片手で持ち清掃部を片手に持てば結果両手が塞がれてしまう。
【０００８】
スティックタイプの掃除機は塵埃の集積容量が小さいうえ、充電式のものはバッテリー切れの心配が付きまとう。また、これらの問題を解決するためにサイズを大きくしたものは、重いうえ小回りが利かなく、使いづらい。
【０００９】
上述の問題を解決することを課題として、特許文献１において、ユニット内に掃除機を収納させた状態のままでも収納状態の掃除機を稼動させて塵埃を吸収することができる掃除機収納ユニットについての発明が開示されている。しかしながら、この構成の掃除機では、据置型掃除機、キャニスター型掃除機の両者が有する課題が、そのまま解決されずに残る。すなわち、掃除機を収納した状態で使用するときは、モップで室内の塵埃を集めてから吸引機器に吸わせる作業が必要となり、段差がある場所では使えない。一方、収納されている掃除機を取り出して清掃を行うときは、キャニスター型掃除機の本体を転がしながら清掃を行うときの前述の問題点は解決されない。不快臭やゴミ捨て時の不快感も解決されていない。
【００１０】
次にヘッド及びヘッドパイプなどの各部部品の構造から生じる作業効率に関する問題について説明する。
【００１１】
第１にヘッドに設置されているブラシの問題がある。
ヘッドの吸入口近傍に固設されているブラシは通常ヘッドカバーの内側に固設されているため、ヘッドカバーがブラシより前で室内の壁面に当接することにより壁面近くの塵埃をもれなく収集することが困難である。一方で、バンパーがついているタイプでは、壁に触れることにより通常下りているバンパーが上がり、ブラシ等が壁近くの塵埃に届く構造になっているが、部屋角の塵埃を取ることができない。さらに、前記ブラシは固設されており、清掃中は常時被清掃面に摺接するためブラシの劣化が早いという問題がある。特許文献２においては、ヘッド左右の端に回転駆動する円盤状ブラシが着脱可能に設置されているヘッドを有する掃除機の発明が開示されているが、円盤状ブラシの着脱はブラシを持ち上げて抜き差しを行う必要があるため、清掃中頻繁に着脱する場合は困難かつ面倒である。
【００１２】
第２にヘッドと隙間用ノズルとの交換の問題がある。
掃除機を使用する際、通常はローラー型のヘッドを使用するが、これを隙間用ノズルと交換する際は、ハンドルから一旦手を離し、両手でノズルを交換する手間がかかる。このような交換の作業を隙間を清掃するたびに行うことは非常に面倒である。
【００１３】
第３に掃除機使用時に腕や手首にかかる負担の問題がある。
掃除機使用に際しては連続的に腕の前後運動を行うため、清掃時間が長くなるほど腕や手首にかかる負担は増加する。また、これに加えて床に散らかった雑貨、衣類、コード、絨毯等の障害物を避けるたびにヘッドパイプを握ってヘッドを軽く持ち上げては下ろす動作を繰り返し行う必要があり、これによって生じる掃除機支持のための肩、腕、手首への負担は大きい。この問題を解決する手段は今まで採られてこなかった。
【００１４】
最後にヘッド及びヘッドパイプの収納の問題がある。
一部のキャニスタータイプの掃除機は、ヘッド及びヘッドパイプを分解して収納し、使用時には組み立てる作業を要するものもある。また、スティックタイプのものは分解ができないため棚などの場所に収納できず部屋の隅に配置しておくことが多い。
【課題を解決するための手段】
【００１５】
前記据置型掃除機の費用の問題及び前記移動型掃除機の操作性の問題を解決すべく、請求項１に記載の掃除機は移動が可能である通常据置型の掃除機であって、掃除機本体と、ヘッド及びヘッドパイプから成る清掃部と、吸入用ホースと、排気用ホースと、電源コードとを有し、不使用時に前記清掃部、前記吸入用ホース、前記排気用ホース及び前記電源コードが前記掃除機本体内に収納可能であることを特徴とする。
【００１６】
請求項２に記載の掃除機は、ヘッドに設置されるブラシの清掃効率と摩耗の問題を解決すべく、ヘッドに直線状のブラシと略半円柱形状のヘッドカバーとを有し、前記ブラシは前記ヘッドに対して上下に回動可能に枢設されており、前記ブラシを前記ヘッドカバー上で上下させることにより前記ブラシの被清掃面への着接又は乖離を選択することが可能になっている。
【００１７】
請求項３に記載の掃除機においては、隙間部分を清掃する際に生じるヘッドと隙間用吸引ノズルとの交換の問題を解決する。本機では、吸引ノズルとヘッドを交換するのではなく、先端に吸引ノズルを具備する吸引ホースがヘッドパイプと平行位置に常設されている。前記吸引ホースは前記ヘッド近傍において前記ヘッドパイプに連接し、該連接部分には塵埃・空気の流路を選択するための切替弁が配設され、該切替弁を操作することによりヘッド・ノズルの切替をワンタッチでできる構成になっている。すなわち、前記ヘッドの使用時においては、前記吸引ホースと前記ヘッドパイプとの接続部分を前記切替弁で遮断することにより前記ヘッド・前記ヘッドパイプ間の塵埃・空気の流路を確保し、前記吸引ノズルの使用時においては前記ヘッドと前記ヘッドパイプとの接続部分を遮断することにより前記吸引ホース・前記ヘッドパイプ間の塵埃・空気の流路を確保する。
【００１８】
掃除機使用時の腕や手首にかかる負担の問題を解決すべく、請求項４に記載の掃除機のヘッドパイプは、ヘッドにつながる基管部、手でヘッドパイプを掌握するためのハンドル部、及び掌握時に前腕を載置するための腕置部より成り、前記腕置部には前腕を固定させるための腕巻ベルトが設置されている。また、前記基管部・前記ハンドル部間と前記ハンドル部・前記腕置部間にはそれぞれ蝶番関節が設置されており、作業者は前記腕巻ベルトを前腕に巻着することにより前腕を前記腕置部に固定しつつ前記ハンドル部を掌握しながら作業を行う。これにより、従来は手首が支点となっていた作業が、肘を支点とした作業に変わり、清掃作業の負担軽減が可能となった。すなわち、作業者は手首を動かすのではなく、肘の曲げ伸ばしにより蝶番関節で連結された前記腕置部・前記ハンドル部・前記基管部の各部がなす角度を調節しながら清掃作業を行うことができるようになった。
【００１９】
請求項５に記載の掃除機は、清掃部を構成するヘッド及びヘッドパイプの収納の問題を解決する。本機においては、ヘッドパイプが２段筒納式になっているほか、ヘッド及びヘッドパイプの連結部及びヘッドパイプの各部は蝶番関節等により折畳みが可能となっている。これら筒納及び折畳みによる清掃部のサイズ最小化は、前述した掃除機本体の収納空間を小さくすることに資するものであり、しいては掃除機全体の大きさを従来の据置型掃除機よりも小さくすることを可能としている。
【発明の効果】
【００２０】
基本的に据置型の掃除機であって、本体から清掃部と必要な長さの吸引ホースのみを取り出して作業を行うため、キャニスタータイプの掃除機のように本体を引きずりながら転がす面倒がない。このことにより、方向転換、段差越え等による苦労がないほか、本体が部屋内の置物・家具・壁・床などを傷つける等の問題が生じない。また、コンセントの抜き差しや電源コードの伸縮に要する手間、コードが家具等に引っ掛らないようにするための注意からも解放される。さらに、収納時に掃除機を部品ごとに分解してしまう手間も必要なくなる。
【００２１】
本体を引きづらなくても良い様に排気パイプを屋外に出せる設計にする事により、室内に不快臭を停滞させない。
【００２２】
大きなスティックタイプの掃除機と比較しても、小回りがきき、塵埃の集積容量も比較にならないほど大きい。
【００２３】
ヘッドに設置されたブラシがヘッドカバー上で上下に回動可能に枢設されていることにより、ブラシをヘッド前方に下ろして部屋隅の塵埃をヘッド吸引口まで容易に移動させることができるようになった。また、ブラシの上下操作によりブラシの被清掃面への着接又は乖離を選択することが可能になったため、常時摺接によるブラシの消耗を防止できる。
【００２４】
隙間部分清掃用のノズル付吸引ホースとヘッドパイプが平行して常設され、切替弁を伴って連接されたことにより、ワンタッチの切替操作によってノズル・ヘッドの選択が可能となった。これにより、従来必要であった両手でのヘッドとノズルの交換作業が必要なくなった。
【００２５】
ヘッドパイプを基管部・ハンドル部・腕置部の３部分に分け回動自在に接続させたこと、及び、前腕を腕巻ベルトで腕置部に固定させハンドル部を握って清掃作業を行う構成をとったことにより、手首にかかる負担を大きく減少させることができた。
【００２６】
ヘッドパイプを２段筒納式にして、さらにヘッド及びヘッドパイプの各部を蝶番関節等により折畳み可能としたことにより、掃除機本体の収納スペースの最小化及び掃除機全体の小型化が可能となった。これにより収納時でも掃除機の上に物を置く事が可能となる。
【００２７】
建物の構造に関わる設置工事を必要としないため、従来の据置型掃除機と比較して設置費用が少なくて済む。また、すべての部位を箱型の本体にコンパクトに収納できる構成としたことから、設置に要するスペースも小さくて済む。
【図面の簡単な説明】
【００２８】
【図１】本実施形態の掃除機の使用例を示すイメージ図である。
【図２】本実施形態の掃除機本体の斜視図である。
【図３】本実施形態の掃除機の内部を正面から見た斜視図である(ヘッド及びヘッドパイプ不収納）。
【図４】本実施形態の掃除機の内部を正面から見た斜視図である(ヘッド及びヘッドパイプ収納）。
【図５】本実施形態の掃除機の内部を背面から見た斜視図である。
【図６】本実施形態の掃除機の内部を上から見た斜視図である(ヘッド及びヘッドパイプ不収納の状態）。
【図７】本実施形態の掃除機の内部を上から見た斜視図である(ヘッド及びヘッドパイプを収納した状態）。
【図８】本実施形態の掃除機の内部を右側面から見た斜視図である(ヘッド及びヘッドパイプ不収納の状態)。
【図９】本掃除機の内部を右側面から見た斜視図である(ヘッド及びヘッドパイプを収納した状態)。
【図１０】本実施形態の掃除機の内部を左側面から見た斜視図である(ヘッド及びヘッドパイプ不収納の状態)。
【図１１】本実施形態の掃除機の内部を左側面から見た斜視図である(ヘッド及びヘッドパイプを収納した状態)。
【図１２】本実施形態の掃除機の内部の下半分を右後方から見た斜視図である。
【図１３】本実施形態の掃除機の内部の下半分を左側面から見た斜視図である。
【図１４】本実施形態の掃除機の内部の上半部を右上後方から見た斜視図である。
【図１５】ブラシを上げた状態のヘッドを示す斜視図である。
【図１６】ブラシを下げた状態のヘッドを示す斜視図である。
【図１７】ヘッド及びヘッドパイプを正面から見た斜視図である。
【図１８】ヘッド及びヘッドパイプを右側面から見た斜視図である。
【図１９】ヘッドパイプのヘッド支持部の横切断面を上方向から見た斜視図である。切替弁が開いた状態を示す。
【図２０】ヘッドパイプのヘッド支持部の横切断面を上方向から見た斜視図である。切替弁が閉じた状態を示す。
【図２１】ヘッドパイプの基管部・ハンドル部・腕置部を右側面から見た斜視図である。
【図２２】ヘッドパイプの基管部・ハンドル部・腕置部を右上方向から見た斜視図である。
【図２３】本実施形態の掃除機を使用して清掃作業を行っている状態を示すイメージ図である。
【図２４】本実施形態の掃除機を使用して清掃作業を行っているときの腕の状態を示すイメージ図である。
【図２５】清掃部折畳み作業を開始する前のヘッド支持部とヘッドとの接続部分の状態を示す斜視図である。
【図２６】清掃部折畳み作業の手順１を示す斜視図である。
【図２７】清掃部折畳み作業の手順２を示す斜視図である。
【図２８】清掃部折畳み作業の手順３を示す斜視図である。
【図２９】清掃部折畳み作業の手順４を示す斜視図である。
【図３０】清掃部折畳み作業の手順４を終了した状態のヘッド及びヘッドパイプの全体を示す斜視図である。
【図３１】清掃部折畳み作業の手順５を示す斜視図である。
【図３２】清掃部折畳み作業の手順６を示す斜視図である。
【図３３】清掃部折畳み作業の手順７を示す斜視図である。
【発明を実施するための形態】
【００２９】
図１に示すように、本実施形態の掃除機は、掃除機本体１と、ヘッド２２及びヘッドパイプ２１から成る清掃部２と、吸入ホース３と、排出ホース４と、電源コード５とで構成され、使用者は排出ホース４の先端を窓の外に出し、吸入ホース３と連結するヘッドパイプ２１を握りつつ清掃作業を行う。本掃除機は基本的に据置型ではあるが、吸入ホース３と排出ホース４と電源コード５の長さが許す範囲内で移動可能になっている。巻き取りはハンドルに設置したボタンで巻き取り、適切な距離を保ちながら掃除を行う。
【００３０】
図２に示すように掃除機本体１の外観は縦長の直方体である（以降、本体１の前後、左右及び上下についての方角指示は図２に示す通りとする）。図８に示すように、本体１はその内部に前記清掃部２を収納する空間７と図７に示す２個のローラー８１とモーター８２からなる吸入ホース用リール８と、同じく図１４に示す２個のローラー９１とモーター９２からなる排出ホース用リール９と、電源コード用リール１０とを具備し、非作業時には清掃部２、吸入ホース３、排出ホース４、電源コード５がすべて本体１に収納可能となっている（図９）。
【００３１】
本実施形態の掃除機は主モーター１２により塵埃を吸引し、塵埃集積については大きめの紙パック１１を使用している。また、本体後方下部に排出ホース４内のエアーを排出するためのファン１３を備える一方で、前述したように排出ホース４の先端を窓の外に出して清掃を行うため、パック内の臭気が室内に拡散することはない。
【００３２】
図１５及び１６に示すように本実施形態の掃除機のヘッドは略半円柱形状のヘッドカバー２２３と、ヘッドカバー２２３の前方に直線状のブラシ２２２が付設されたブラシバー２２１とを具備する。ブラシバー２２１はヘッドカバー２２３に対して回動可能に枢接されており、ブラシ使用時には図１６に示すようにブラシバー２２１を下ろし、ブラシ２２２を被清掃面に着接させて角の塵埃をヘッド方向に移動させる。また、ブラシ不要時には図１５のようにブラシバー２２１を上げることにより、不必要なブラシの摩耗を防ぐことができるようになっている。
【００３３】
図１８に示すように、本実施形態の掃除機には先端に吸引ノズル２１８ａを具備するノズル用吸引ホース２１８がヘッドパイプ２１に常時連接されており、ノズルを使用しないときはノズル２１８ａがヘッドパイプ上部に支持具で仮固定されている。ヘッドパイプ２１の連接部分内部には板状の切替弁２２０ａが設置されており、切替弁２２０ａの一部としてヘッドパイプ外部に突出する開閉レバー２２０ｂの操作により、ノズル２１８ａ又はヘッド２２の使用を選択する。図１９はヘッド２２使用時のヘッドパイプ内部の状態を示す。この状態では切替弁２２０ａが開き、ヘッド・ヘッドパイプ間の塵埃・空気の流路が開いている一方、ノズル用吸引ホース２１８からの流路は遮断されている。図２０はノズル使用時の状態で、ヘッド・ヘッドパイプ間の流路は遮断され、ヘッドパイプ２１はノズル用吸引ホース２１８から塵埃・空気を受け入れる。また、本機には交換用のノズル２１９も配置されている。
【００３４】
図２１及び図２２に示すように、本掃除機のヘッドパイプ２１は基管部２１１、ハンドル部２１２及び腕置部２１３より成り、腕置部２１３には腕巻ベルト２１４が設置されている。また、基管部２１１・ハンドル部２１２・腕置部２１３間はそれぞれ蝶番関節２１５，２１６により枢接されており、作業者は図２３及び２４に示すように、腕巻ベルト２１４によって前腕を腕置部２１３に固定しハンドル部２１２を握り、肘を支点として、腕置部２１３・ハンドル部２１２・基管部２１１の角度を調節しながら清掃作業を行う。
【００３５】
図２５に示すように、本掃除機のヘッド２２とヘッドパイプ２１との連結は、ヘッドパイプ２１の先端部分に垂直に固設された滑板２１１ｃがヘッド２２のＴ形溝２２４に滑動可能に嵌設されている構成をとる。また、ヘッドパイプ２１の基管部２１１・ハンドル部２１２・腕置部２１３の各部はそれぞれ蝶番関節２１５，２１６によって枢接されている。さらに基管部２１１は上管部２１１ａと下管部２１１ｂに分かれ下管部２１１ｂが上管部２１１ａ内に筒納される構成になっている。これらの構成により、本記の清掃部は長さを短くし各部をコンパクトに折り畳んで掃除機本体に収納可能になっている。以下、図をもって清掃部を折り畳む手順を説明する。
【００３６】
まず手順１として、ヘッド支持部ロック解除ボタン２２５を押してロックを解除した後、ヘッドパイプ２１の先端部分の滑板２１１ｃをヘッドＴ形溝のＴの字に沿って滑動させ、ヘッド中央頂部に移動させる（図２６）。手順２として、滑板２１１ｃをヘッド２２の尾根伝いに滑動させ、ヘッド先端がヘッド２２の右端にくるようにする（図２７）。手順３で、第３の蝶番関節２１７を鉛直上方向に回転させヘッドパイプ基管部２１１とヘッド支持部２１１ｄが直角になるようにする（図２８）。手順４で、第３の蝶番関節２１７を水平方向に回転させヘッド２２がヘッドパイプ２１の背面側（吸引パイプ側）にくるようにする（図２９）。図３０は手順４が終了した状態の清掃部２全体を示す。手順５で、基管部の下管部２１１ｂを上管部２１１ａ内に筒納する（図３１）。手順６で、第２の蝶番関節２１６を鉛直下方向に回転させハンドル部２１２と基管部上管部２１１ａが直角になるようにする（図３２）。最後に手順７で、第１の蝶番関節２１５を鉛直下方向に回転させ腕置部２１３を真下に折りこむ（図３３）。上記手順１−７により、清掃部２全体がコンパクトな長方形の形状となり（図３３）、容易に掃除機本体１の清掃部収納空間７に収納することができる。
【符号の説明】
【００３７】
１        本体
２        清掃部
２１      ヘッドパイプ
２１１    基管部
２１１ａ  上管部
２１１ｂ  下管部
２１１ｃ  滑板
２１１ｄ  ヘッド支持部
２１２    ハンドル部
２１３    腕置部
２１３ａ  腕置クッション
２１４    腕巻ベルト
２１５    第１蝶番関節
２１６    第２蝶番関節
２１７    第３蝶番関節
２１８    ノズル用吸引ホース
２１８ａ  ノズル
２１８ｂ  ノズル用吸引ホース接続パイプ
２１９    交換ノズル
２２０ａ  切替弁
２２０ｂ  切替弁開閉レバー
２２０ｃ  ノズル用吸引ホース接続パイプ嵌入口
２２      ヘッド
２２１    ブラシバー
２２２    ブラシ
２２３    ヘッドカバー
２２４    Ｔ形溝
２２５    ヘッド支持部ロック解除ボタン
３        吸入ホース
４        排出ホース
５        電源コード
６        吸入ホース固定輪
６１      吸入ホース固定輪支持柱
７        清掃部収納空間
８        吸入ホース用リール
８１      吸入ホースローラー
８２      吸入ホースモーター
８３      吸入ホース土台
９        排出ホース用リール
９１      排出ホース用ローラー
９２      排出ホース用モーター
９３      排出ホース土台
１０      電源コードリール
１１      紙パック
１２      主モーター
１３      ファン
１４      壁（HEPAフィルター取付）
１５      壁（栓付）
１６      排気用ホース内換気レバー
１６１    排気用ホース内換気レバーの土台
１７      電子基板
１８      接続パイプＡ
１９      接続パイプＢ
【図１】
2016055086.tif 000003
【図２】
2016055086.tif 000004
【図３】
2016055086.tif 000005
【図４】
2016055086.tif 000006
【図５】
2016055086.tif 000007
【図６】
2016055086.tif 000008
【図７】
2016055086.tif 000009
【図８】
2016055086.tif 000010
【図９】
2016055086.tif 000011
【図１０】
2016055086.tif 000012
【図１１】
2016055086.tif 000013
【図１２】
2016055086.tif 000014
【図１３】
2016055086.tif 000015
【図１４】
2016055086.tif 000016
【図１５】
2016055086.tif 000017
【図１６】
2016055086.tif 000018
【図１７】
2016055086.tif 000019
【図１８】
2016055086.tif 000020
【図１９】
2016055086.tif 000021
【図２０】
2016055086.tif 000022
【図２１】
2016055086.tif 000023
【図２２】
2016055086.tif 000024
【図２３】
2016055086.tif 000025
【図２４】
2016055086.tif 000026
【図２５】
2016055086.tif 000027
【図２６】
2016055086.tif 000028
【図２７】
2016055086.tif 000029
【図２８】
2016055086.tif 000030
【図２９】
2016055086.tif 000031
【図３０】
2016055086.tif 000032
【図３１】
2016055086.tif 000033
【図３２】
2016055086.tif 000034
【図３３】
2016055086.tif 000035